(57)【要約】【課題】本発明は、複写機、ファクシミリ、プリンター等の画像形成装置であって、給紙カセット内に積層された用紙の幅合わせを正確に行うことができる画像形成装置を提供することを目的とする。【解決手段】給紙カセット３の底板部３ａには、給紙カセット３内に積層される用紙の用紙幅を規制するための紙幅ガイド板２７が移動自在となる様に配設されている。当該底板部３ａの裏面には、紙幅ガイド板２７を駆動するための駆動部２８と、用紙の積層状態に応じてＯＮ／ＯＦＦ状態が切り替わるスイッチ部２９が配設されている。【選択図】  図２
2004256274.tif 000002
【特許請求の範囲】
【請求項１】
積層した用紙の用紙幅を規制するために給紙カセットに配設された紙幅ガイド板と、前記紙幅ガイド板を駆動する駆動手段と、前記駆動手段の駆動状態に基づいて前記駆動手段を制御する制御手段とを設けたことを特徴とする画像形成装置。
【請求項２】
前記駆動手段はモータであり、前記制御手段は前記モータの回転を制御することを特徴とする請求項１に記載の画像形成装置。
【請求項３】
前記制御手段は、前記駆動状態を示す駆動電流の大きさに基づく検出値と前記制御手段に予め記憶された所定の基準値を比較し、前記検出値が前記所定の基準値以上の場合に、前記モータの回転を停止させることを特徴とする請求項２に記載の画像形成装置。
【請求項４】
前記制御手段は、前記駆動状態を示す駆動電流の大きさに基づく検出値と前記制御手段に予め記憶された所定の基準値を比較し、前記検出値が前記所定の基準値以上の場合に、前記紙幅ガイド板が所定の距離退避するように前記モータの回転方向を逆転させることを特徴とする請求項２に記載の画像形成装置。
【請求項５】
積層した用紙の用紙幅を規制するために給紙カセットに配設された紙幅ガイド板と、前記紙幅ガイド板を駆動する駆動手段と、前記給紙カセットに配設されるとともに、前記用紙の積層状態に応じてＯＮ／ＯＦＦ状態が切り替わるスイッチと、前記駆動手段の駆動状態と前記スイッチのＯＮ／ＯＦＦ状態に基づいて前記駆動手段を制御する制御手段とを設けたことを特徴とする画像形成装置。
【請求項６】
前記駆動手段はモータであり、前記制御手段は前記モータの回転を制御することを特徴とする請求項５に記載の画像形成装置。
【請求項７】
前記制御手段は、前記駆動状態を示す駆動電流の大きさに基づく検出値と前記制御手段に予め記憶された所定の基準値を比較し、前記検出値が前記所定の基準値以下の場合であり、かつ、前記スイッチがＯＦＦの状態にある場合には、前記紙幅ガイド板が所定の距離退避するように前記モータの回転方向を逆転させることを特徴とする請求項６に記載の画像形成装置。
【発明の詳細な説明】
【０００１】
【発明の属する技術分野】
本発明は、複写機、ファクシミリ、プリンター等の画像形成装置であって、給紙カセット内に積層された用紙の幅合わせを正確に行うことができる画像形成装置に関する。
【０００２】
【従来の技術】
従来、複写機、ファクシミリやプリンタ装置等の画像形成装置における給紙カセットには、各種用紙サイズに応じた用紙幅の設定を行うべく、積層された用紙の両側面に紙幅ガイド板が設けられている。この紙幅ガイド板は、用紙の搬送方向に対して鉛直方向に駆動可能となっており、給紙カセット内に用紙を補給する際には、ユーザーが当該紙幅ガイド板を駆動し、用紙の両側面に紙幅ガイド板を接触させて、各種用紙サイズに応じた用紙幅を設定することが一般的に行われている。（例えば、特許文献１参照）。
【０００３】
【特許文献１】
特開平１０−１２０１９５号公報（第２頁、第１図）
【０００４】
【発明が解決しようとする課題】
しかし、上記従来の画像形成装置においては、上述のごとく、給紙カセットにおける各種用紙サイズに応じた用紙幅は、ユーザーの手作業により調整されていたため、紙幅ガイド板の調整精度が悪く、用紙幅の幅合わせが不完全となる場合があり、結果として、給紙時に斜め給紙が発生したり、紙詰まりや斜め印字が発生してしまうという問題が生じていた。
【０００５】
本発明は、上記問題点を解決し、給紙カセットにおける各種用紙サイズに応じた幅合わせを精度良く行うことができるとともに、安定した給紙を行うことができる画像形成装置を提供することを目的とする。
【０００６】
【課題を解決するための手段】
上記目的を達成するために、本発明の画像形成装置は、積層した用紙の用紙幅を規制するために給紙カセットに配設された紙幅ガイド板と、紙幅ガイド板を駆動する駆動手段と、駆動手段の駆動状態に基づいて駆動手段を制御する制御手段とを設けたことを特徴とする。
【０００７】
この構成によると、制御手段が、駆動手段の駆動状態に基づいて駆動手段を制御するようにしているため、給紙カセットにおける各種用紙サイズに応じた幅合わせを精度良く行うことができるとともに、安定した給紙を行うことができ、給紙性能が向上する。
【０００８】
又、本発明の画像形成装置は、積層した用紙の用紙幅を規制するために給紙カセットに配設された紙幅ガイド板と、紙幅ガイド板を駆動する駆動手段と、給紙カセットに配設されるとともに、用紙の積層状態に応じてＯＮ／ＯＦＦ状態が切り替わるスイッチと、駆動手段の駆動状態とスイッチのＯＮ／ＯＦＦ状態に基づいて駆動手段を制御する制御手段とを設けたことを特徴とする。
【０００９】
この構成によると、制御手段が、駆動手段の駆動状態とスイッチのＯＮ／ＯＦＦ状態に基づいて駆動手段を制御するようにしているため、給紙カセットに積層される用紙が少ない場合であっても、給紙カセットに積層される各種用紙のサイズに応じた幅合わせを精度良く行うことができる。
【００１０】
【発明の実施の形態】
以下、図面を参照して、本発明の実施形態を詳細に説明する。図１は、本発明の実施形態に係る画像形成装置の全体構成を示す概略図である。
【００１１】
図１に示す様に、この画像形成装置１は、反転現像により画像形成を行う複写機であって、大きくは、一方向（図中のＡ方向）に回転する感光体ドラム２、用紙を収納した複数の給紙カセット３、これら給紙カセット３の各端部上方に配設され感光体ドラム２に向けて用紙を供給する給紙ユニット４、感光体ドラム２に対向するとともに、当該感光体ドラム２の上記回転方向に沿って配設された帯電ユニット５、現像ユニット６、転写ユニット７、及びクリーニングユニット８、その転写ユニット７から用紙を受け入れる定着ユニット９、この定着ユニット９から用紙を受け入れ画像形成装置１の外部に用紙を排出する排出部１０、画像形成装置１の上部に配設され複写原稿を搬送する原稿搬送部１１、この原稿搬送部１１の下部に配設され複写原稿の画像を読み取る原稿読取部１２から構成される。
【００１２】
この様な構成のもとで、複写原稿は原稿搬送部１１により原稿読取部１２に搬送されて、この原稿読取部１２によりその複写原稿の画像が読み取られ、これとともに感光体ドラム２の表面は帯電ユニット５により一様に帯電させられる。次いで、原稿読取部１２によって読み取られた画像に基づく光が、不図示の光学部により感光体ドラム２の表面に照射されてその画像の静電潜像が形成され、その後、現像ユニット６によりその静電潜像にトナーを付着させトナー像が形成される。
【００１３】
更に、給紙カセット３に収納された用紙は、給紙ユニット４により用紙供給経路２１を経由して感光体ドラム２と転写ユニット７との間に供給され、次いで、この転写ユニット７により感光体ドラム２からトナー像が用紙上に引き寄せられて転写される。その後、トナー像が転写された用紙は感光体ドラム２から分離されて、用紙搬送経路２２を経由して定着ユニット９に搬送され、この定着ユニット９によりそのトナー像が転写紙上に定着される。
【００１４】
一方、転写ユニット７によるトナー像転写後、感光体ドラム２の表面に残留するトナーは、クリーニングユニット８により完全に除去される。そして、残留トナーが除去された感光体ドラム２は、複数のＬＥＤ等で構成された不図示の除電部によりその表面の残留電荷が除去され、帯電ユニット５に至る。
【００１５】
用紙搬出経路２３内で、定着ユニット９の直後には、第１の分岐爪１３が設けられている。この第１の分岐爪１３は、図示しないソレノイド等により連結されており、当該ソレノイドの作動又は非作動により第１の分岐爪１３を制御することにより、用紙の搬送経路を切り換えている。即ち、トナー像が定着された転写紙をそのまま用紙搬出経路２３に沿って、排出部１０により画像形成装置１の外部に排出させるか、第１の分岐爪１３の下方に設けられた反転経路１５に向かって搬送させるかを、当該第１の分岐爪１３で切り換えている。
【００１６】
反転経路１５には、搬送ローラ５４とガイドローラ５４ａが設けられており、反転経路１５の搬送方向下流側には、トナー像が定着された転写紙を搬送経路に沿って反転搬送する両面ユニット１４が設けられている。又、両面ユニット１４は、転写紙の反転搬送を行うための反転ローラ５０、及びガイドローラ５０ａを備えている。
【００１７】
反転ローラ５０、及びガイドローラ５０ａにより反転搬送された転写紙は、第２の分岐爪２４により、両面ユニット１４の搬送方向下流側の第１の返送経路２５、又は第２の返送経路２６のいずれかに分岐される。尚、第２の分岐爪２４の切り替えは、第１の分岐爪１３と同様に、図示しないソレノイド等により行われる。
【００１８】
図１に示す様に、第２の返送経路２６は、用紙搬出経路２３に通じているため、用紙の表面のみに印刷をし、当該印刷された面を裏にして（印刷された面と反対の面を表にして）排出したい場合は、定着ユニット９を出た転写紙が反転経路１５から両面ユニット１４を経て、第２の返送経路２６を通過し、用紙搬出経路２３へ戻ってくる様に、第１、及び第２の分岐爪１３、２４を作動させる。
【００１９】
一方、第１の返送経路２５は、用紙供給経路２１に通じているため、用紙の両面に印刷をしたい場合は、定着ユニット９を出た転写紙が反転経路１５から両面ユニット１４に設けられた第１の返送経路２５を通過し、用紙供給経路２１に戻ってくる様に、第１、及び第２の分岐爪１３、２４を作動させる。用紙供給経路２１に戻ってきた用紙は、再度、感光体ドラム２と転写ユニット７との間に供給され、次いで、この転写ユニット７により感光体ドラム２からトナー像が用紙裏面上に引き寄せられて転写される。その後、トナー像が転写された用紙は感光体ドラム２から分離されて、用紙搬送経路２２を経由して定着ユニット９に搬送され、この定着ユニット９によりそのトナー像が用紙裏面上に定着される。
【００２０】
次に、図面を参照して、本発明の実施形態に係る画像形成装置の給紙カセットについて説明する。図２は、本発明の実施形態に係る画像形成装置における給紙カセットの概略構成を示す斜視図である。
【００２１】
図２に示す様に、給紙カセット３の底板部３ａには、給紙カセット３内に積層される用紙の用紙幅を規制するための紙幅ガイド板２７が、用紙の搬送方向（図中の矢印の方向）に対して鉛直方向に移動自在となる様に配設されており、又、当該底板部３ａの裏面には、紙幅ガイド板２７を駆動するための駆動部２８と、用紙の積層状態に応じてＯＮ／ＯＦＦ状態が切り替わるスイッチ部２９が配設されている。
【００２２】
駆動部２８は、図３に示す様に、モータ３０と、当該モータ３０によって回転駆動するピニオン３０’、及び当該ピニオンにより直線駆動するラック３１とから構成されている。このモータ３０は、図３に示す様に、時計回り／反時計回りのいずれの方向にも回転可能であり、又、図２に示す様に、ラック３１には、紙幅ガイド板２７が固定されているため、モータ３０の回転に従ってラック３１が駆動すると、ラック３１に固定された紙幅ガイド板２７が移動する構成となっている。
【００２３】
スイッチ部２９は、図４に示す様に、アクチュエータ３２と、赤外線等を発する発光ダイオードからなる発光素子３３と、フォトダイオードからなる受光素子３４とから構成されており、給紙カセットに積層される用紙がアクチュエータ３２の先端部に当接することにより当該アクチュエータ３２が回動するようになっている。即ち、図４において、用紙が当接する前においては、アクチュエータ３２は実線で示す３５の状態（スイッチＯＦＦの状態）にあり、この状態下では、発光素子３３と受光素子３４は遮光状態にあるが、アクチュエータ３５の先端部に用紙が当接すると、用紙の重みによりアクチュエータ３５は回動し、図４において点線で示す３５’の状態（スイッチＯＮの状態）になり、発光素子３３と受光素子３４の遮光状態が解除され、光信号が発生する構成となっている。
【００２４】
図５は、モータの駆動制御を行う回路系を示したものである。図５において、３６は制御部であり、当該制御部３６は、ＣＰＵ３７と、モータ駆動回路３８と、電流検出器３９とから構成されている。又、モータ３０とモータ駆動回路３８により、モータ駆動部３８’が構成されている。スイッチ部２９が上述のスイッチＯＮの状態になった時に発生するＯＮ信号がＣＰＵ３７に入力されると、当該ＣＰＵ３７は、モータ３０を駆動するためのモータ駆動信号を発生し、当該モータ駆動信号はモータ駆動回路３８に入力される。モータ駆動回路３８は、モータ駆動信号に基づいて作動し、モータ３０を駆動する。モータ３０の駆動電流は、モータ駆動部３８’を経由して、制御部３６に設けられた電流検出器３９により検出され、増幅器とＡ／Ｄ変換器（いずれも図示せず）を通じてＣＰＵ３７へと入力される。尚、モータ３０の駆動電流とは、モータ３０を駆動する際の、モータ３０の駆動負荷に基づく電流を意味し、本実施形態においては、駆動手段であるモータ３０の駆動状態を示すパラメータとしての役割を有するものである。
【００２５】
次に、図面を参照して、本発明の実施形態に係る画像形成装置におけるモータの制御について詳しく説明する。図６は、本発明の実施形態に係る画像形成装置におけるモータの制御の手順を示すフローチャートである。
【００２６】
図６において、まず、給紙カセット３が画像形成装置１に挿入され（ステップＳ１）、当該給紙カセット３に積層された用紙が、アクチュエータ３５の先端部に当接し、当該用紙の重みによりアクチュエータ３５が回動すると、前述のごとくスイッチ部２９はスイッチＯＮの状態になり（ステップＳ２）、発光素子３３と受光素子３４の遮光状態が解除され、光信号が発生する。当該光信号は図示しない増幅器により電気信号に変換されて、制御部３６のＣＰＵ３７に入力され、ＣＰＵ３７は、モータ３０を正転駆動するためのモータ正転駆動信号を発生し、当該モータ正転駆動信号はモータ駆動回路３８に入力される。モータ駆動回路３８は、モータ正転駆動信号に基づいて作動し、モータ３０を正転駆動（図３において、時計回りに駆動）する（ステップ３）。モータ３０が正転すると、紙幅ガイド板２７は互いに近づく方向に動くとともに、モータ３０からは駆動電流が発生し、当該駆動電流は、モータ駆動部３８’を経由して、制御部３６に設けられた電流検出器３９により検出され、増幅器とＡ／Ｄ変換器（いずれも図示せず）を通じてＣＰＵ３７へと入力される。
【００２７】
ＣＰＵ３７では、入力されたモータ３０の駆動電流の大きさに基づく検出値と、給紙カセット３に積層される用紙の紙幅毎に設定され、制御部３６に予め記憶された所定の基準値を比較し（ステップ４）、当該検出値が所定の基準値以下と判断した場合は、モータ３０の駆動電流の大きさに基づく検出値と基準値の比較を繰り返し行い、基準値以上と判断した場合は、ＣＰＵ３７は、モータ３０の回転を停止するためのモータ停止信号を発生し、当該モータ停止信号はモータ駆動回路３８に入力される。モータ駆動回路３８は、モータ停止信号に基づいて作動し、モータ３０の回転を停止する（ステップ５）。
【００２８】
以上、説明した様に、本実施形態においては、制御部３６が、モータ３０の駆動電流の大きさに基づく検出値、即ち、モータ３０の駆動負荷に基づく電流の大きさにより決定される検出値に基づいてモータ３０の回転を制御するようにしているため、駆動手段であるモータ３０の駆動状態に基づいて、給紙カセットにおける各種用紙サイズに応じた幅合わせを精度良く行うことができるとともに、安定した給紙を行うことができ、給紙性能が向上する。
【００２９】
図７は、本発明の他の実施形態に係る画像形成装置におけるモータの制御の手順を示すフローチャートである。
【００３０】
図７において、ステップＳ１１からステップＳ１３に関しては、図６において説明したステップＳ１からステップＳ３と同じであるので、ここでは詳細な説明を省略する。
【００３１】
モータ３０が正転すると、上述のごとく、紙幅ガイド板２７は互いに近づく方向に動くとともに、モータ３０の駆動電流が制御部３６の電流検出器３９により検出され、ディジタル値に変換されてＣＰＵ３７へと入力され、ＣＰＵ３７において、入力されたモータ３０の駆動電流の大きさに基づく検出値と、給紙カセット３に積層される用紙の紙幅毎に設定され、制御部３６に予め記憶された所定の基準値を比較するが（ステップＳ１４）、本実施形態においては、ＣＰＵ３７が、当該検出値が所定の基準値以上と判断した場合は、紙幅ガイド板２７が所定の距離退避するように（即ち、紙幅ガイド板２７が、所定の距離だけ互いに遠ざかる方向に動くように）モータ３０の回転方向を逆転させる（図３において、反時計回りの方向に回転させる）ために、モータ逆転信号を発生し、当該モータ逆転信号はモータ駆動回路３８に入力される。モータ駆動回路３８は、モータ逆転信号に基づいて作動し、モータ３０の回転を逆転する（ステップＳ１５）。その後、ＣＰＵ３７は、モータ３０の回転を停止するためのモータ停止信号を発生し、当該モータ停止信号はモータ駆動回路３８に入力される。モータ駆動回路３８は、モータ停止信号に基づいて作動し、モータ３０の回転を停止する（ステップＳ１６）。
【００３２】
以上、説明した様に、制御部３６におけるＣＰＵ３７によって、検出値が所定の基準値以上と判断された場合に、紙幅ガイド板２７が所定の距離退避するように、モータ３０の回転方向を逆転させることにより、給紙カセット３に積層される用紙が少ない場合であっても、紙幅ガイド板２７によって用紙を押しつぶすことなく、給紙カセット３に積層される各種用紙のサイズに応じた幅合わせを精度良く行うことができる。
【００３３】
一方、当該検出値が所定の基準値以下と判断した場合は、制御部３６は、スイッチ部２９がスイッチＯＮの状態にあるか、スイッチＯＦＦの状態にあるかを判断し（ステップＳ１７）、スイッチがＯＮの状態にあると判断した場合は、モータ３０の駆動電流の大きさに基づく検出値と基準値の比較を繰り返し行い、スイッチがＯＦＦの状態にあると判断した場合は、制御部３６のＣＰＵ３７は、紙幅ガイド板２７が所定の距離退避するようにモータ３０の回転方向を逆転させるために、モータ逆転信号を発生し、当該モータ逆転信号はモータ駆動回路３８に入力される。モータ駆動回路３８は、モータ逆転信号に基づいて作動し、モータ３０の回転を逆転する（ステップＳ１８）。
【００３４】
即ち、給紙カセット３に積層された用紙が少量の場合は、検出値が所定の基準値以下であっても、紙幅ガイド板２７により用紙にかかる圧力が大きくなってしまうため、当該用紙が給紙カセット３の底板部３ａから浮いた状態となる場合がある。この場合、給紙カセット３に用紙が積層されているにもかかわらず、当該用紙がスイッチ部２９におけるアクチュエータ３２に当接していないため、用紙の重みがアクチュエータ３２にかからず、当該アクチュエータ３２が図４において説明した３５の状態（即ち、スイッチＯＦＦの状態）となってしまう場合がある。この状態下では、給紙カセットにおける各種用紙サイズに応じた幅合わせが正確に行われていないため、安定した給紙を行うことが困難になってしまう。そこで、スイッチ部２９のアクチュエータ３２が図４に示した３５の状態になり、当該アクチュエータ３２により、発光素子３３と受光素子３４が遮光状態にある場合は、制御部３６のＣＰＵ３７は、スイッチ部２９がスイッチＯＦＦの状態にあると判断して、スイッチ部２９を再度スイッチＯＮの状態にするために、モータ３０の回転方向を逆転させ、紙幅ガイド板２７を所定の距離退避させるべく、モータ逆転信号をモータ駆動回路３８に出力する構成としたものである。
【００３５】
モータ３０の逆転により、アクチュエータ３５の先端部に用紙が当接するとともに、当該用紙の重みによりアクチュエータ３５が回動し、図４において点線で示す３５’の状態になり、発光素子３３と受光素子３４の遮光状態が解除されると、制御部３６のＣＰＵ３７は、スイッチ部２９がスイッチＯＮの状態にあると判断して（ステップＳ１９）、モータ３０の回転を停止するためのモータ停止信号を発生し、当該モータ停止信号はモータ駆動回路３８に入力される。モータ駆動回路３８は、モータ停止信号に基づいて作動し、モータ３０の回転を停止する（ステップ２０）。
【００３６】
以上、説明した様に、制御部３６におけるＣＰＵ３７によって、モータ３０の駆動状態とスイッチ部２９のスイッチＯＮ／ＯＦＦ状態に基づいて前記モータ３０の駆動を制御することにより、即ち、駆動電流の大きさに基づく検出値が所定の基準値以下と判断された場合であって、かつ、スイッチ部２９がスイッチＯＦＦの状態にある場合に、紙幅ガイド板２７が所定の距離退避するように、モータ３０の回転方向を逆転させ、スイッチ部２９が再びスイッチＯＮの状態になった場合に、紙幅ガイド板２７が停止する様に、モータ３０の回転を停止させることにより、給紙カセット３に積層される用紙が少ない場合であっても、給紙カセット３に積層される各種用紙のサイズに応じた幅合わせを精度良く行うことができる。
【００３７】
尚、本発明は、上記実施形態に限定されるものではなく、本発明の趣旨に基づいて各部の構造、形状等を適宜変更することが可能であり、それらを本発明の範囲から除外するものではない。
【００３８】
例えば、上記実施形態においては、スイッチ部２９に、アクチュエータ３２を有するスイッチを用いたが、図８に示す様な、フォトインタラプタ型の反射型光電スイッチを用いる構成としても良い。この場合、スイッチ部２９は、赤外線等を発する発光ダイオードからなる発光素子４０と、フォトダイオードからなる受光素子４１とから構成されており、発光素子４０から出た光が用紙４２により反射され、受光素子４１に入射すると、光信号が発生し、スイッチＯＮの状態となる。当該光信号は、図示しない増幅器により電気信号に変換されて、制御部３６のＣＰＵ３７に入力される。
【００３９】
又、上記実施形態においては、駆動手段であるモータ３０の駆動状態を示すパラメータとしてモータ３０の駆動電流を用い、当該駆動電流の大きさに基づく検出値に基づいてモータ３０の回転を制御したが、上記駆動電流以外のものを駆動手段であるモータ３０の駆動状態を示すパラメータとして使用し、モータ３０の回転を制御する構成としても良い。例えば、上記駆動電流の代わりにモータ３０の回転数をパラメータとして用い、当該回転数の大きさに基づく検出値に基づいてモータ３０の回転を制御するようにしても良い。この場合、図５において説明した電流検出器３９は回転検出器に置き換わり、図６において説明したステップ４、及び図７において説明したステップ１４においては、ＣＰＵ３７が、入力されたモータ３０の回転数の大きさに基づく検出値と、給紙カセット３に積層される用紙の紙幅毎に設定され、制御部３６に予め記憶された所定の基準値を比較することとなる。
【００４０】
即ち、図６のスッテプ４においては、制御部３６が、回転数の大きさに基づく検出値が所定の基準値以下と判断した場合は、モータ３０の回転数の大きさに基づく検出値と基準値の比較を繰り返し行い、基準値以上と判断した場合は、ＣＰＵ３７は、モータ３０の回転を停止するためのモータ停止信号を発生し、当該モータ停止信号はモータ駆動回路３８に入力される。
【００４１】
又、図７のステップ１４においては、制御部３６が、回転数の大きさに基づく検出値が所定の基準値以上と判断した場合は、紙幅ガイド板２７が所定の距離退避するようにモータ３０の回転方向を逆転させるために、モータ逆転信号を発生し、当該モータ逆転信号はモータ駆動回路３８に入力される。一方、回転数の大きさに基づく検出値が所定の基準値以下と判断した場合は、制御部３６は、スイッチ部２９がスイッチＯＮの状態にあるか、スイッチＯＦＦの状態にあるかを判断し（ステップＳ１７）、スイッチがＯＮの状態にあると判断した場合は、モータ３０の回転数の大きさに基づく検出値と基準値の比較を繰り返し行い、スイッチがＯＦＦの状態にあると判断した場合は、制御部３６のＣＰＵ３７は、紙幅ガイド板２７が所定の距離退避するようにモータ３０の回転方向を逆転させるために、モータ逆転信号を発生し、当該モータ逆転信号はモータ駆動回路３８に入力される。
【００４２】
【発明の効果】
以上、説明した様に、本発明によれば、駆動手段であるモータの駆動状態に基づいてモータの回転を制御するようにしているため、給紙カセットにおける各種用紙サイズに応じた幅合わせを精度良く行うことができる。従って、給紙時における斜め給紙や、紙詰まり等の発生を回避することができ、安定した給紙を行うことができる。
【図面の簡単な説明】
【図１】は、本発明の実施形態に係る画像形成装置の全体構成を示す概略図である。
【図２】は、本発明の実施形態に係る画像形成装置における給紙カセットの概略構成を示す斜視図である。
【図３】は、本発明の実施形態に係る画像形成装置における駆動部の概略構成を示す上面図である。
【図４】は、本発明の実施形態に係る画像形成装置におけるスイッチ部の概略構成を示す斜視図である。
【図５】は、本発明の実施形態に係る画像形成装置における駆動部の駆動制御を行う回路系を示した概略図である。
【図６】は、本発明の実施形態に係る画像形成装置における駆動部の駆動制御の手順を示すフローチャートである。
【図７】は、本発明の他の実施形態に係る画像形成装置における駆動部の駆動制御の手順を示すフローチャートである。
【図８】は、本発明の実施形態に係る画像形成装置におけるスイッチ部の変形例を示す概略図である。
【符号の説明】
１      画像形成装置
２      感光体ドラム
３      給紙カセット
４      給紙ユニット
５      帯電ユニット
６      現像ユニット
７      転写ユニット
８      クリーニングユニット
９      定着ユニット
１４      両面ユニット
２７      紙幅ガイド板
２８      駆動部
２９      スイッチ部
３０      モータ
３１      ラック
３２      アクチュエータ
３６      制御部
３７      ＣＰＵ
３８      モータ駆動回路
３９      電流検出器
【図１】
2004256274.tif 000003
【図２】
2004256274.tif 000004
【図３】
2004256274.tif 000005
【図４】
2004256274.tif 000006
【図５】
2004256274.tif 000007
【図６】
2004256274.tif 000008
【図７】
2004256274.tif 000009
【図８】
2004256274.tif 000010